(57)【要約】【課題】内容物を自動吐出させるとともに、内容物の残量を監視・検知し、交換品の交換・購入時期を適切なタイミングでユーザに通知して購入を促し、購入動作や交換作業も容易に行えるようにする。【解決手段】電動デバイス１０を、ボトル容器５０を装着可能な本体１１と、本体１１に装着されたボトル容器５０の内容物を抽出させる駆動装置１２と、駆動装置１２から抽出された内容物を本体１１から外部に吐出させる吐出ノズル１３と、吐出ノズル１３からの内容物の吐出を監視する内蔵センサ２０とを備え、内蔵センサ２０が、吐出ノズル１３からの内容物の吐出が所定条件に達すると、所定情報を外部に送信する構成としてある。【選択図】図２
2020050375.tif 000002
【特許請求の範囲】
【請求項１】
ボトル容器を装着可能な本体と、
本体に装着されたボトル容器の内容物を抽出させる駆動装置と、
駆動装置から抽出された内容物を前記本体から外部に吐出させる吐出ノズルと、
前記吐出ノズルからの内容物の吐出を監視するセンサと、を備え、
前記センサが、
前記吐出ノズルからの内容物の吐出が所定条件に達すると、所定情報を外部に送信する
ことを特徴とする電動デバイス。
【請求項２】
前記センサが、
前記吐出ノズルからの内容物の吐出回数をカウントし、前記吐出回数が所定回数に達すると、その吐出回数及び／又は前記ボトル容器内の内容物の残量を示す情報を外部に送信する
ことを特徴とする請求項１記載の電動デバイス。
【請求項３】
前記駆動装置が、
前記吐出ノズルの近傍にあるユーザの手指を検出することにより、
前記ボトル容器内の内容物を所定量だけ抽出させて、前記吐出ノズルから吐出させる
ことを特徴とする請求項１又は２に記載の電動デバイス。
【請求項４】
前記請求項１乃至３のいずれかに記載の電動デバイスと、
前記電動デバイスから送信される前記所定情報を、無線通信を介して受信可能な端末装置と、を備え、
前記端末装置は、
前記所定情報を受信する受信手段と、
前記所定情報が受信されたことを示す所定表示画面を生成・出力する表示手段と、を備える
ことを特徴とする電動デバイスを備えたシステム。
【請求項５】
前記表示手段は、
受信された前記所定情報に基づいて、前記吐出ノズルからの内容物の吐出回数及び／又は前記ボトル容器内の内容物の残量を示す表示画面を生成・出力する
ことを特徴とする請求項４に記載の電動デバイスを備えたシステム。
【請求項６】
前記表示手段は、
受信された前記所定情報に基づいて、前記ボトル容器に係る製品の購入を促す表示画面を生成・出力するとともに、
前記購入を促す表示画面に対する入力操作に応じて、前記ボトル容器に係る製品の購入情報を生成し、無線通信を介して所定の製品購入サイトに送信する
ことを特徴とする請求項４又は５に記載の電動デバイスを備えたシステム。
【発明の詳細な説明】
【技術分野】
【０００１】
本発明は、例えば手洗い用の洗剤や消毒液などを自動で吐出・供給するための電動デバイスに関する。
【背景技術】
【０００２】
一般に、手洗い用の洗剤，液体石鹸，消毒液などの液体・内容物を、容器から吐出・供給させるための構造・装置等が知られている。
特に、ユーザが手指をかざすことにより、非接触により洗剤等を吐出させる自動吐出機能を備えた装置等は、衛生面に優れ、使用も簡便であることから、手洗い用の洗剤・石鹸等の供給手段として好適に用いられている。
この種の、内容物等の自動吐出機能に関する技術としては、例えば、特許文献１や特許文献２に提案されている技術がある。
【先行技術文献】
【特許文献】
【０００３】
【特許文献１】特開２００１−１５３０３６号公報
【特許文献２】特開２０１２−１４４２８３号公報
【発明の概要】
【発明が解決しようとする課題】
【０００４】
しかしながら、特許文献１，２に提案されている技術を含めて、これまで提案されている内容物の自動吐出機能を備えた装置等では、単に洗剤・薬液等を非接触で吐出させるだけのものであり、更なる利便性等の面において改良の余地があった。
例えば、これまでの自動吐出型の装置等では、内容物の残量を検知したり、残量に応じた通知やアラート等を行ったりするこができなかった。
また、交換用の薬液等はユーザが自ら管理・監視等する必要があり、洗剤等が無くなった場合には、詰替用の洗剤等をユーザ自身が購入し、内容物の詰替作業もユーザが行わなければならなかった。
【０００５】
本発明は、上記のような従来の技術が有する課題を解決するために提案されたものであり、洗剤等の内容物を自動吐出させる機能を備えるとともに、内容物の残量を監視・検知する機能を備え、交換品の交換・購入時期を適切なタイミングでユーザに通知して購入を促すことができ、購入動作や交換作業も容易に行えるようにする電動デバイス及びこの電動デバイスを備えたシステムを提供することを目的とする。
【課題を解決するための手段】
【０００６】
上記目的を達成するため、本発明の電動デバイスは、ボトル容器を装着可能な本体と、本体に装着されたボトル容器の内容物を抽出させる駆動装置と、駆動装置から抽出された内容物を前記本体から外部に吐出させる吐出ノズルと、前記吐出ノズルからの内容物の吐出を監視するセンサと、を備え、前記センサが、前記吐出ノズルからの内容物の吐出が所定条件に達すると、所定情報を外部に送信する構成としてある。
また、本発明の電動デバイスを備えたシステムは、本発明に係る電動デバイスと、前記電動デバイスから送信される前記所定情報を、無線通信を介して受信可能な端末装置と、を備え、前記端末装置は、前記所定情報を受信する受信手段と、前記所定情報が受信されたことを示す所定表示画面を生成・出力する表示手段と、を備える構成としてある。
【発明の効果】
【０００７】
本発明によれば、洗剤等の内容物を自動吐出させる機能を備えるとともに、内容物の残量を監視・検知する機能を備えることにより、交換品の交換・購入時期を適切なタイミングでユーザに通知して購入を促すことができ、購入動作や交換作業も容易に行えるようにすることができる。
したがって、本発明によれば、交換品の買い忘れの防止や買いに行く手間をなくすことができ、交換品も容易に着脱・交換することができ、洗剤等の内容物の詰替作業を不要とすることができ、家庭用や業務用の洗剤・消毒液などの供給・提供手段として好適に用いることができる。
【図面の簡単な説明】
【０００８】
【図１】本発明の一実施形態に係る電動デバイスを示す外観斜視図である。
【図２】図１に示す電動デバイスの分解図である。
【図３】本発明の一実施形態に係るシステムを構成する電動デバイスの内蔵センサとスマートフォンの関係を模式的に示す説明図である。
【図４】本発明の一実施形態に係るシステムにおいてスマートフォンで生成・出力される遷移画面の一例を模式的に示す説明図である。
【図５】本発明の一実施形態に係るシステムにおける処理動作を示すフローチャートである。
【発明を実施するための形態】
【０００９】
以下、本発明に係る電動デバイスとこの電動デバイスを備えたシステムの実施形態について、図面を参照しつつ説明する。
【００１０】
［電動デバイス］
図１は、本発明の一実施形態に係る電動デバイス１０を示す外観斜視図であり、図２は、同じく電動デバイス１０の分解図である。
これらの図に示す本実施形態に係る電動デバイス１０は、例えば手洗い用の洗剤や消毒液などを自動で吐出・供給するための、個人ユーザの家庭や業務用のオフィスなどに設置される装置・デバイスとして機能するように構成されている。
具体的には、電動デバイス１０は、本体１１，駆動装置１２，吐出ノズル１３等の各部を備えて構成されている。
【００１１】
［本体］
本体１１は、洗剤や消毒液等の内容物が収納・充填されたボトル容器５０を装着可能な筐体・ケースとして構成されており、本実施形態では、図２に示すように上方に開口した矩形箱状に形成されている。本体１１の底面側には、架台となるベース部１５が備えられている。
この本体１１の内部には、ボトル容器５０を口部が下向きにされた状態で装着・保持するカップ形状のボトルホルダ１１ａが備えられるようになっている。
ボトルホルダ１１ａは、ボトル容器５０の口部及び肩部の外形に対応した凹形状・カップ形状に構成された保持空間を備えており、下向きにされたボトル容器５０を本体１１の上方からワンタッチで装着・保持できるようになっている。
【００１２】
また、ボトルホルダ１１ａの保持空間の底部には、ボトル容器５０の口部に挿入・嵌合されるノズル１１ｂが備えられている。このノズル１１ｂがボトル容器５０の口部と嵌合することにより、下向きに装着されたボトル容器５０の内部から、内容物がノズル１１ｂを介して滴下・滲出して、後述する駆動装置１２の動作によって、所定量の内容物が吐出ノズル１３から吐出・供給されるようになる。
このノズル１１ｂとボトル容器５０の嵌合構造は、例えばウォーターサーバや加湿器など、水などの内容物を収納した容器を下向きに装着・嵌合させて、容器口部から内容物を滴下・滲出させる公知の嵌合構造や方式と同様の構成となっている。
【００１３】
また、本体１１のデバイス正面側には、吐出ノズル１３を装着・嵌合するためのスリット１１ｃが形成されている。
このスリット１１ｃに装着されることで、吐出ノズル１３はデバイス正面の所定箇所に位置決めされて本体１１に組み立てられるようになる。
【００１４】
［駆動装置］
駆動装置１２は、本体１１のボトルホルダ１１ａに装着されたボトル容器５０の内容物を抽出させる駆動手段として機能する。
駆動装置１２は、図２に示すように、本体１１のボトルホルダ１１ａの下側に配置され、デバイス底部に備えられる電池などの駆動電力によって駆動されるモータ等によって構成され、モータの回転力によって、ボトル容器５０から滴下・滲出された内容物を所定量（例えば１回の駆動で１ｍｌ）吸い上げて、吐出ノズル１３の排出口まで内容物を吸引・搬送するようになっている。
本実施形態では、駆動装置１２には、吐出ノズル１３の正面に備えられた近接センサ・赤外線センサ等のセンサ手段からなる人感センサ１４によって駆動制御されるようになっている。これによって、人感センサ１４が吐出ノズル１３の近傍にあるユーザの手指を検出することにより、駆動装置１２が駆動されて、ボトル容器５０内の内容物が所定量だけ抽出・搬送されて、吐出ノズル１３から吐出されるようになる。
【００１５】
［吐出ノズル］
吐出ノズル１３は、駆動装置１２から抽出・搬送されたボトル容器５０の内容物を本体から外部に吐出させる吐出手段として機能する。
本実施形態では、ボトル容器５０の内容物が移動・搬送可能な中空筒状・管状に構成された逆Ｌ字形状の吐出ノズル１３が、本体１１の正面に形成されたスリット１１ｃに装着・嵌合されることで、本体１１の正面に近接したユーザの手指の表面に、所定量の内容物が吐出・供給されるようになっている。
この吐出ノズル１３の正面部に、上述した人感センサ１４が備えられるようになっている。
【００１６】
［内蔵センサ］
内蔵センサ２０は、本体１１の駆動装置１２に接続されるセンサ手段であって、駆動装置１２が駆動されることによって行われる吐出ノズル１３からの内容物の吐出を監視するセンサとして機能する。
そして、内蔵センサ２０は、吐出ノズル１３からの内容物の吐出が所定条件に達すると、所定情報を外部に送信する信号生成手段・送信手段として機能するようになっている。
【００１７】
内蔵センサ２０は、駆動装置１２の駆動を監視しており、駆動装置１２の駆動回数、すなわち、吐出ノズル１３からの内容物の吐出回数をカウントし、そのカウント値を内蔵センサ２０が備える記憶手段に記憶・保持するようになっている。そして、カウント・記憶された吐出回数が所定回数に達すると、その吐出回数を示す情報を内蔵センサ２０が備える送信手段により外部に送信する。
【００１８】
また、内蔵センサ２０は、上述のようにカウントされた吐出回数から、ボトル容器５０内の内容物の残量を算出し、その残量を示す情報を外部に送信することもできる。
例えば、１００ｍｌ入りのボトル容器５０の内容物が、駆動装置１２の１回の駆動によって１ｍｌだけ抽出・搬送される場合には、内蔵センサ２０でカウントされる吐出回数に基づいて、ボトル容器５０の内容物の残量が以下の式１によって算出できるようになる。
［式１］：残量＝１００ｍｌ−（１ｍｌ×吐出回数）
これによって、例えば吐出回数が７０回カウントされると、「１００ｍｌ−（１ｍｌ化×７０回）＝３０ｍｌ」となり、内蔵センサ２０からは、「使用回数：７０回・残量３０ｍｌ」を示す情報が生成されて、信号として外部に無線送信されるようになる。
内蔵センサ２０から生成される情報（信号）は、例えばＢｌｕｅｔｏｏｔｈ（登録商標）などの無線通信規格によって外部に無線送信されて、電動デバイス１０から所定範囲（例えば１０ｍ以内）に位置するスマートフォン１００によって受信される。
【００１９】
［スマートフォン］
スマートフォン１００は、電動デバイス１０の内蔵センサ２０から送信される所定情報を、無線通信を介して受信可能な端末装置として機能する。
スマートフォン１００は、電動デバイス１０から所定情報を受信する受信手段と、所定情報が受信されたことを示す所定表示画面を生成・出力する表示手段を備えた情報処理装置によって構成される。
具体的には、スマートフォン１００は、無線通信機能を介してインターネット等のネットワークに接続可能な通信機能を備えるとともに、上述したＢｌｕｅｔｏｏｔｈ等の無線通信規格によって電動デバイス１０の内蔵センサ２０からの信号を受信可能な機能を備えている。また、スマートフォン１００は、所謂アプリと呼ばれる専用のプログラム（アプリケーション）が実装されることにより、本実施形態に係るシステムにおける各種処理・機能が実行できるようになっている。
【００２０】
なお、スマートフォン１００は、公知のスマートフォン・情報処理装置と同様に構成されており、ＣＰＵ，メインメモリ（ＲＡＭ），ハードディスク・フラッシュメモリ等の記憶手段，キーボード・タッチパネル等の入力手段，外部装置とのデータ通信を行うためのデータ入出力Ｉ／Ｆ（インタフェース），液晶ディスプレイや有機ＥＬディスプレイ等の表示デバイスである表示手段，ＲＦ回路（高周波回路），携帯電話網及びネットワークを介して他の情報処理装置と通信を行うための通信手段，無線により近距離の他の機器・装置と直接通信を行うための近距離無線通信手段などのハードウェア構成を備えており、それらがバスを介して相互に接続されている。
【００２１】
また、本実施形態では、スマートフォン１００には、電動デバイス１０から無線受信した情報（信号）に基づいて所定表示画面情報を生成・出力させるための専用のアプリケーションプログラム（アプリ）が実装（インストール）される。
ここで、専用のアプリをスマートフォン１００に実装するには、例えば、ネットワークを介してインターネット上の所定のサーバにアクセスし、アプリを構成するソフトウェア（プログラム）をダウンロードしてインストールすることができる。
そして、スマートフォン１００にインストールされたアプリを起動することにより、スマートフォン１００は本実施形態に係るシステムの携帯端末として機能して、以下に示すような所定表示画面情報の生成・出力を含む各種処理・動作を実行することになる。
【００２２】
図４に、本実施形態に係るシステムにおいてスマートフォン１００で生成・出力される遷移画面の一例を示す。
まず、スマートフォン１００では、上述した専用のアプリが起動されると、表示デバイス（ディスプレイ）である表示手段において、電動デバイス１０（内蔵センサ２０）から受信された所定情報に基づいて、上述した吐出ノズル１３からの内容物の吐出回数及び／又はボトル容器５０内の内容物の残量を示す表示画面が生成・出力される（図４（ａ）参照）。
【００２３】
このような表示画面を表示・確認することによって、ユーザは、電動デバイス１０に装着されているボトル容器５０の内容物の残量が減っており、交換時期が来ていることを知ることができるようになる。
なお、このような表示画面は、ユーザが自らスマートフォン１００を操作して専用のアプリを起動させることで生成・表示させることができる。
また、アプリが起動されていない状態において、アプリの起動を促す所謂プッシュ通知やポップアップ表示を生成・表示させることもできる。
【００２４】
また、スマートフォン１００では、表示手段において、電動デバイス１０（内蔵センサ２０）から受信された所定情報に基づいて、ボトル容器５０に係る製品（洗剤等）の購入を促す表示画面が生成・出力される（図４（ｂ）参照）。
このような表示画面を表示・確認することによって、ユーザは、ボトル容器５０と同一の交換品の購入をすべきか否かの判断を行うことでき、購入する場合には、表示画面の内容に従って購入のための入力操作を行うことができる。
この入力操作は、図４（ｂ）に示すように、スマートフォン１００の表示画面（図４（ｂ）の例では「ＢＵＹ」又は「ＮＯＴ  ＢＵＹ」）をタッチ入力することで行うことができ、その入力操作に応じて、最終的な購入動作を行うための表示画面が生成・表示される（図４（ｃ）参照）。
【００２５】
この最終的な購入動作を行うための表示画面は、例えば図４（ｃ）に示すように、ボトル容器５０に係る製品を示す製品名・製品の外観画像・価格などが示されるとともに、購入動作を確定させるための入力画面（図４（ｃ）の例では「カートに入れる」）が生成・表示される。
このような最終的な購入動作を行うための表示画面は、インターネット上で公開・提供されている製品購入サイト、例えばアマゾン（登録商標）や楽天（登録商標）などの汎用の製品購入サイトや、本システムのために提供・用意されている専用の製品購入サイトなどで提供される情報によって構成され、ネットワークを介してスマートフォン１００において受信されて出力・表示されるようになっている。
なお、このような最終的な購入動作を行うための表示画面を受信・表示するための製品購入サイトを示す識別情報（ＵＲＬ・ＩＰアドレス等）は、スマートフォン１００に実装されている専用のアプリにおいて、予め設定・登録されるようになっている。
【００２６】
そして、このような購入を促す表示画面に対するユーザの入力操作に応じて、購入動作を確定させる入力操作（「カートに入れる」をタッチ）が行われると、スマートフォン１００では、ボトル容器５０に係る製品の購入処理が行われるための所定の購入情報が生成されて、無線通信を介して所定の製品購入サイトに送信される。
ここで、製品購入サイトに送信される購入情報としては、例えば、購入に係る製品の製品情報、スマートフォン１００のユーザを識別するための識別情報（ユーザＩＤ・パスワード・氏名・住所・クレジットカード情報等）などが含まれる。このような購入情報は、スマートフォン１００に実装されている専用のアプリにおいて、予めユーザの入力操作によって入力・登録して記憶させておくことができる。また、購入動作が行われる都度、ユーザの入力操作によって入力・設定することもできる。
【００２７】
以上の購入動作が行われることによって、所定の購入情報が製品購入サイトで受信されて購入処理が実行され、購入された製品（ボトル容器５０の交換品）が、製品購入サイトからユーザに対して配送され、購入代金がユーザのクレジットカードや預金口座において決済されることになる。
これにより、ユーザは、スマートフォン１００の専用アプリを表示・確認して所定の入力操作を行うだけで、電動デバイス１０で使用されるボトル容器５０の残量や交換時期を知ることができ、交換品の購入もその場で行うことができるようになり、ユーザに対してきわめて利便性の高い電動デバイス１０及びシステムを提供できるようになる。
また、製品購入サイトの運営者やボトル容器５０に係る製品の提供者等にとっても、電動デバイス１０のユーザからの製品購入が確実に見込まれ、ユーザの識別情報や製品購入の頻度や動向等の有用な情報も取得することから、メリットの高いシステムとして提供することができる。
【００２８】
［動作］
次に、以上のような構成からなる本実施形態に係る電動デバイス１０を備えたシステムにおける処理動作を説明する。
図５に、本実施形態に係るシステムにおける処理動作を示すフローチャートを示す。
まず、電動デバイス１０は、電源が投入される内蔵センサ２０による吐出ノズルからの内容物の吐出が監視されて、吐出が検知されると（ステップ５０１）、その吐出回数がカウントされ（ステップ５０２）、カウント値が所定回数となる否かが内蔵センサ２０によって監視・判定される（ステップ５０３）。
【００２９】
そして、吐出回数を示すカウント値が所定の閾値（例えば「７０回」等）以上になると（ステップ５０３：Ｙｅｓ）、内蔵センサ２０は、使用回数（吐出回数）やボトル容器５０の残量を示す情報を生成し、上述した無線通信規格によって外部に送信する（ステップ５０４）。
内蔵センサ２０から外部に送信された情報は、電動デバイス１０から所定範囲（例えば１０ｍ以内）に位置するスマートフォン１００において受信され、ユーザがスマートフォン１００を入力操作することにより専用のアプリが起動されると、電動デバイス１０の使用回数（吐出回数）やボトル容器５０の残量を示す情報（図４（ａ）参照）が生成・表示される（ステップ５０５）
【００３０】
その後、ユーザがスマートフォン１００の表示画面に従って入力操作を行うことにより、所定の購入操作（図４（ｂ）及び（ｃ）参照）が行われると（ステップ５０６：Ｙｅｓ）、該当する製品購入サイトに購入情報が送信されて（ステップ５０７）、製品購入サイトにおける所定の購入処理が実行される。
製品購入サイトで購入処理が実行されると、購入された製品（ボトル容器５０の交換品）が、製品購入サイトからユーザに対して配送され、購入代金がユーザのクレジットカードや預金口座において決済されることになる。
したがって、ユーザは、自宅やオフィスなどにいながら、スマートフォン１００の専用アプリを表示・確認して所定の入力操作を行うだけで、電動デバイス１０で使用されるボトル容器５０の残量や交換時期を知ることができ、かつ、必要な交換品の購入及び製品の受領ができるようになる。
【００３１】
以上説明したように、本発明の一実施形態に係る電動デバイス１０及び電動デバイス１０を備えたシステムによれば、洗剤等の内容物を自動吐出させる機能を備えるとともに、内容物の残量を監視・検知する機能を備えることにより、交換品の交換・購入時期を適切なタイミングでユーザに通知して購入を促すことができ、購入動作や交換作業も容易に行えるようにすることができる。
【００３２】
まず、消費者（ユーザ）にとっては、交換品の買い忘れの防止や、買いに行く手間がなくなることにより「時短」となる。
また、ボトル容器５０を付け替えるだけで交換品の着脱・交換が可能となることから、内容物の詰替作業から解放される「利便性」が向上する。
さらに、手をかざすだけで内容物が吐出される電動デバイス１０は、「衛生性・利便性」に優れたものとなる。
【００３３】
ボトル容器５０の内容物を提供する提供者（メーカー・サプライヤー・ベンダー）は、交換品の購入が促進されることにより、リピーターの獲得が可能となり「売上」の向上を図ることが可能となる。
また、本システムを活用することにより、使用状況把握「マーケティング」によるブランド力の維持・強化を図ることが可能となる。
【００３４】
さらに、電動デバイス１０の提供者は、消費者がリピーターとなることから、安定的な受注を見込むことができ、「売上」の促進・向上を図ることができるとともに、電動デバイス１０とスマートフォン１００（アプリ）の活用による様々な提案や他社商品等との差別化を図ることも可能となる。
このように、本発明では、洗剤等の残量をセンサにより監視・検知し、無線通信とスマートフォンアプリを連動させて、ＥＣサイトを経由してリピート購買を促進することができ、電動デバイス１０とｅ−コマースを活用することによる継続購買の循環が生まれるようにすることが可能となる。
【００３５】
以上、本発明の電動デバイス及び電動デバイスを備えたシステムについて、好ましい実施形態を示して説明したが、本発明は、上述した実施形態にのみ限定されるものではなく、本発明の範囲で種々の変更実施が可能であることは言うまでもない。
例えば、上述した実施形態では、ボトル容器５０の内容物として手洗い用の洗剤等を例にとって説明したが、本発明が対象とするボトル容器の内容物は、特に洗剤や消毒液などに限定されるものではなく、例えば化粧品・香料・芳香剤・飲料など、使用回数（吐出回数）と残量を監視して交換品の交換・購買を促す必要のある各種製品等を対象とすることができる。
【００３６】
また、上記実施形態では、本発明に係る端末装置としてスマートフォン１００を例にとって説明したが、スマートフォンは、本発明に係る端末装置を構成する情報処理装置の一例であり、スマートフォン以外にも、例えば、ＰＣ，タブレット端末，携帯電話機，ＰＨＳなど、電動デバイス１０からの所定情報を受信して、所定表示画面を生成・出力できる情報処理装置であれば、本願発明の端末装置として用いることができる。
さらに、電動デバイス１０の具体的な構成は、上記実施形態（特に図１及び図２）で示した構成のみに限定されるものではなく、ボトル容器の内容物を非接触で自動吐出できるとともに、内容物の使用回数（吐出回数）や残量を示す情報を生成・出力できる限り、電動デバイスとしての構成・構造自体は、任意に選択・変更等することが可能である。
【産業上の利用可能性】
【００３７】
本発明は、例えば個人用や業務用として使用される手洗い用の洗剤や消毒液などを自動で吐出・供給するための装置・デバイス等として好適に利用することができる。
【符号の説明】
【００３８】
１０  電動デバイス
１１  本体
１１ａ  ボトルホルダ
１１ｂ  ノズル
１２  駆動装置
１３  吐出ノズル
１４  人感センサ
１５  ベース部
２０  内蔵センサ
５０  ボトル容器
１００  スマートフォン
【図１】
2020050375.tif 000003
【図２】
2020050375.tif 000004
【図３】
2020050375.tif 000005
【図４】
2020050375.tif 000006
【図５】
2020050375.tif 000007